(57)【要約】【課題】本発明は、外部から浸入しようとする水又は浸入した水を容易に排出することのできる携帯電子機器を提供することを目的とする。【解決手段】携帯電話機１は、所定の接合領域５０において互いに接合されるフロントケース２ａとリアケース２ｂとを有して構成される筐体２と、接合領域５０に配設される陽極部１２０ａ、１２０ｂ及び陰極部１１０ａ、１１０ｂと、陽極部１２０ａ、１２０ｂ及び陰極部１１０ａ、１１０ｂに電気的に接続される電源部１４０ａ、１４０ｂと、を備える。【選択図】図４
2009290598.tif 000002
【特許請求の範囲】
【請求項１】
所定の接合領域において互いに接合される第１ケース部材と第２ケース部材とを有して構成される筐体と、
前記接合領域に配設される陽極部及び陰極部と、
前記陽極部及び前記陰極部に電気的に接続される電源部と、を備える
携帯電子機器。
【請求項２】
前記接合領域には、前記第１ケース部材と前記第２ケース部材との接合を強化させる接合強化部が形成され、
前記陽極部及び前記陰極部は、前記接合強化部よりも前記筐体における内部側に配設される
請求項１に記載の携帯電子機器。
【請求項３】
前記接合領域における前記陽極部及び／又は前記陰極部よりも前記筐体における外部側には、電解質部材が配設される
請求項１又は請求項２に記載の携帯電子機器。
【請求項４】
前記陽極部及び前記陰極部は、所定の基準電位部と電気的に接続される
請求項１から請求項３のいずれかに記載の携帯電子機器。
【請求項５】
前記陽極部は、前記陰極部よりも前記筐体における内部側に配設される
請求項１から請求項４のいずれかに記載の携帯電子機器。
【発明の詳細な説明】
【技術分野】
【０００１】
本発明は、携帯電話機等の携帯電子機器に関する。
【背景技術】
【０００２】
従来、携帯電子機器としての携帯電話機において、筐体内部に水が浸入することを防止するために各種防水構造が採用されている。
例えば、筐体を構成するケースの接合部に防水用のパッキンを配置して筐体内部へ水が浸入することを防止する防水構造を有する携帯電話機が提案されている（例えば、特許文献１参照）。
【特許文献１】特開平１０−５２８３２号公報
【発明の開示】
【発明が解決しようとする課題】
【０００３】
しかし、特許文献１の携帯電話機における防水構造においては、実際に筐体の内部に浸入しようとする水又は浸入した水を外部に排水することが困難である場合があった。
【０００４】
本発明は、水の電気分解作用を利用することで筐体の内部に浸入しようとする水又は浸入した水を容易に排出することのできる携帯電子機器を提供することを目的とする。
【課題を解決するための手段】
【０００５】
本発明は、所定の接合領域において互いに接合される第１ケース部材と第２ケース部材とを有して構成される筐体と、前記接合領域に配設される陽極部及び陰極部と、前記陽極部及び前記陰極部に電気的に接続される電源部と、を備える携帯電子機器に関する。
【０００６】
また、前記接合領域には、前記第１ケース部材と前記第２ケース部材との接合を強化させる接合強化部が形成され、前記陽極部及び前記陰極部は、前記接合強化部よりも前記筐体における内部側に配設されることが好ましい。
【０００７】
また、前記接合領域における前記陽極部及び／又は前記陰極部よりも前記筐体における外部側には、電解質部材が配設されることが好ましい。
【０００８】
また、前記陽極部及び前記陰極部は、所定の基準電位部と電気的に接続されることが好ましい。
【０００９】
また、前記陽極部は、前記陰極部よりも前記筐体における内部側に配設されることが好ましい。
【発明の効果】
【００１０】
本発明によれば、外部から浸入しようとする水又は浸入した水を容易に排出することのできる携帯電子機器を提供することができる。
【発明を実施するための最良の形態】
【００１１】
以下、図面を参照して本発明を実施するための最良の形態を説明する。
図１により、第１実施形態の携帯電話機１における基本構造を説明する。図１は、携帯電話機１の正面図である。
【００１２】
図１に示すように、携帯電子機器としての携帯電話機１は、いわゆるストレートタイプの携帯電話機である。携帯電話機１は、縦長状の筐体２を有する。筐体２は、図１における上方側と下方側とが曲面状に形成されると共に、図１における左右両側が直線状に形成される。
【００１３】
筐体２は、外面がフロントケース２ａとリアケース２ｂとにより構成される。筐体２におけるフロントケース２ａ側には、長手方向における一方側（図１において下方側）から音声入力部１２と、操作キー群１１と、表示部２１と、音声出力部２２と、が露出するように配置される。
【００１４】
音声入力部１２は、筐体２の長手方向における一端側に配置される。音声入力部１２は、携帯電話機１が通話に利用されている状態において、使用者の口に対向する位置に配置される。音声入力部１２には、使用者が通話時に発した音声が入力される。
【００１５】
操作キー群１１は、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、各種モードや起動されているアプリケーション等の種類に応じて所定の機能が割り当てられる（キー・アサイン）。そして、使用者が各キーを押圧することにより、各キーに割り当てられている機能に応じた動作が実行される。
【００１６】
表示部２１は、液晶パネルと、液晶パネルを駆動する駆動回路と、液晶パネルの背面側から光を照射するバックライト等の光源部とにより構成される。表示部２１は、各種情報を表示する。
【００１７】
音声出力部２２は、筐体２の長手方向における他端側（図１において上方側）に配置される。音声出力部２２は、携帯電話機１が通話に利用されている状態において、使用者の耳に対向する位置に配置される。音声出力部２２は、通話における相手側からの音声を出力する。
【００１８】
次いで、筐体２の内部構造について説明する。
筐体２は、フロントケース２ａと、キー構造部と、キー基板と、ケース体と、基準電位パターン層及び携帯電話機用のＲＦ（Ｒａｄｉｏ  Ｆｒｅｑｕｅｎｃｙ）モジュール等の各種電子部品を備えるメイン基板と、アンテナ部と、バッテリリッドを備えたリアケース２ｂと、バッテリとを備える。
【００１９】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部と、キー基板と、ケース体と、メイン基板と、アンテナ部と、が挟まれるようにして内蔵される。また、フロントケース２ａとリアケース２ｂとの間には、表示部２１と、音声出力部２２と、サブ基板とも同様にして挟まれるようにして内蔵される。
【００２０】
ここで、フロントケース２ａとリアケース２ｂとは、外周に形成される接合領域５０に配置されるリング状のパッキン１００により外部から水（水溶液を含む。以下同様。）が浸入しないようにして接合される。また、接合領域５０（図４参照）に配置される陰極部１１０ａ、１１０ｂと、陽極部１２０ａ、１２０ｂとにより外部から浸入しようとする水を電気分解して気体にしている。詳細は、後述の通りである。
【００２１】
フロントケース２ａには、キー孔が形成される。キー孔それぞれからは、入力操作キー１４を構成する入力操作キー部材の押圧面、及び決定操作キー１５を構成する決定操作キー部材の押圧面が露出される。この露出した入力操作キー部材及び決定操作キー部材の押圧面を押し下げるように押圧することで、対応するキースイッチそれぞれに設けられる後述のメタルドーム（椀状形状）の頂点が押圧され、スイッチ端子に接触して電気的に導通する。
【００２２】
キー構造部は、操作部材と、補強部材としてのキーフレームと、シート部材としてのキーシートと、により構成される。
【００２３】
操作部材は、複数のキー操作部材により構成される。具体的には、入力操作キー部材と、決定操作キー部材とにより構成される。操作部材を構成する各操作キー部材それぞれは、後述するキーフレームを挟んでキーシートに接着される。キーシートに接着された各操作キー部材それぞれにおける押圧面は、上述の通り、キー孔それぞれから外部に露出して配置される。
【００２４】
キーフレームは、孔部が複数形成された金属性の板状部材である。キーフレームは、入力操作キー部材の押圧によるメイン基板等への悪影響を防ぐための補強部材である。また、キーフレームは導電性の部材であり、入力操作キー部材における静電気を逃がすための部材としても機能する。キーフレームに形成される複数の孔部には、後述するキーシートに形成される凸部が嵌合するように配置される。そして、この凸部に入力操作キー部材が接着される。
【００２５】
キーシートは、可撓性を有するシリコンゴム製のシート状部材である。キーシートには、上述の通り、複数の凸部が形成される。複数の凸部は、キーシートにおけるキーフレームが配置される側の面に形成される。この複数の凸部それぞれは、後述するキースイッチに対応する位置に形成される。ここで、キーシートは、筐体の一部と協働して防水構造を構成するように配置してもよい。
【００２６】
キー基板は、キーシート側に配置される複数のキースイッチを有する。複数のキースイッチそれぞれは、各操作部材に対応する位置に配置される。キー基板に配置されるキースイッチは、椀状に湾曲して立体的に形成された金属板のメタルドームを有する構造になっている。メタルドームは、その椀状形状の頂点が押圧されると、キー基板の表面に印刷された電気回路に形成されるスイッチ端子に接触して電気的に導通するように構成される。なお、キー基板は、複数の絶縁層（絶縁フィルム）の間に配線を挟み込んだものである。
【００２７】
キー基板がケース体における平板部に載置されるので、操作部材それぞれが押圧されることによる圧力や撓みは、ケース体の下方に配置されるメイン基板に伝達されにくい。
【００２８】
ケース体は、薄型の直方体における一の広い面が開口した形状を有する導電性の部材である。ケース体は、平板部における開口側の面に略垂直に形成されるリブを有する。リブは、メイン基板に実装される各種電子部品のうち最も高さのある電子部品の高さと同等又はそれよりも十分に高くなるよう形成される。リブは、平板部の周縁及び内側に基準電位部を構成する基準電位パターン層に対応するように形成される。具体的には、ケース体がメイン基板に載置された状態で、基準電位パターン層上に配置されるようにリブが形成される。なお、ケース体は、金属により形成するほか、骨格を樹脂により形成し、その表面に導体膜を形成したものでもよい。
【００２９】
ケース体は、リブの底面が基準電位パターン層に当接されることで、該基準電位パターン層と電気的に接続される。ケース体は、基準電位パターン層と電気的に導通して該基準電位パターン層と同じ大きさの電位を有するようになる。つまり、ケース体は、シールドケースとして機能する。ケース体は、シールドケースとして外部からの高周波等のノイズがメイン基板に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体におけるリブの底面が基準電位パターン層上に配置されることで、後述する各回路はリブにより囲われると共に平板部の一部により覆われる。リブは、各回路における隔壁として機能し、平板部の一部と共に各回路をシールドする。
【００３０】
メイン基板には、アンテナが送受信する信号を処理する信号処理部を含む各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。メイン基板に実装される電子部品には、外部から水が浸入した場合に故障や誤動作が生じる可能性がある電子部品が含まれる。
【００３１】
メイン基板におけるケース体側の第１面には、上述の各種電子部品のほか、基準電位部を構成する基準電位パターン層が形成される。基準電位パターン層は、上述の各回路ブロックを区画するように形成される。基準電位パターン層は、メイン基板の第１面の表面に導電性の部材を所定パターンで印刷することで形成される。
【００３２】
アンテナ部は、基台上に所定形状のアンテナエレメントが配置されることにより構成さる。アンテナ部は、筐体２における一端側（図１において下方側）に配置される。このアンテナ部のアンテナエレメントは、帯状の板金により形成される。また、アンテナ部は、給電端子を介してメイン基板から給電される。これにより、アンテナエレメントは、給電端子を介してメイン基板から給電されると共に、メイン基板のＲＦモジュール等と接続される。
【００３３】
リアケース２ｂの一端側には、取り外し可能なバッテリリッドが設けられており、バッテリをリアケース２ｂの外側から収納した後、リアケース２ｂに装着される。また、リアケース２ｂにおける一端側には、ユーザの音声を入力する音声入力部１２（特にマイク）が収容される。
【００３４】
サブ基板には、表示部２１と、音声出力部２２とが電気的に接続される。サブ基板には、表示部２１に対して画像信号を出力する電子部品や、音声出力部２２に音声信号を出力する電子部品が実装される。
【００３５】
続けて、図２から図８により、本実施形態における防水構造について説明する。
図２は、第１実施形態の携帯電話機１における防水構造を説明する斜視分解図である。
図３は、図１におけるＡ−Ａ断面図である。図４は、図３における領域Ｂの部分拡大図である。図５は、第１実施形態の陰極部１１０ａと陽極部１２０ａの配置を説明する模式図である。図６は、第１実施形態における作用を説明する図である。図７は、第１実施形態における作用を説明する図である。図８は、第１実施形態における作用を説明する図である。
【００３６】
まず、図２及び図３により、第１実施形態の防水構造における概要について説明する。
図２及び図３に示すように、携帯電話機１は、フロントケース２ａと、リアケース２ｂと、防水部材としてのリング状のパッキン１００と、を有する。
フロントケース２ａ及びリアケース２ｂの外周には、溝部６０ａ及び６０ｂそれぞれが外周における全周にわたって形成される。
【００３７】
溝部６０ａには、陰極部１１０ａと、陽極部１２０ａとが形成される。溝部６０ｂには、陰極部１１０ｂと、陽極部１２０ｂとが形成される。
【００３８】
パッキン１００は、溝部６０ａ及び溝部６０ｂに収容される。具体的には、パッキン１００は、フロントケース２ａとリアケース２ｂとがそれぞれにおける外周が重なるように重ねあわされた状態で形成される収容部６０に弾性変形した状態で収容される。
【００３９】
図４及び図５により、防水構造について更に詳述する。
図４に示すように、接合領域５０は、筐体２における外部側から順に第１接合面６１と、収容部６０と、第２接合面６２とを有して構成される。
【００４０】
第１接合面６１は、フロントケース２ａの外周に形成される当接面６１ａと、リアケース２ｂの外周に形成される当接面６１ｂとにより構成される。第１接合面６１は、当接面６１ａと当接面６１ｂとが対向して密着するように配置されることで形成される。
【００４１】
第２接合面６２は、フロントケース２ａの外周に形成される当接面６２ａと、リアケース２ｂの外周に形成される当接面６２ｂとにより構成される。第２接合面６２は、当接面６２ａと当接面６２ｂとが対向して密着するように配置されることで形成される。
【００４２】
収容部６０は、第１接合面６１と第２接合面６２との間に形成される。収容部６０は、溝部６０ａ及び溝部６０ｂにより構成される。収容部６０は、筐体２の外周に沿うように形成される中空状の空間部である。
【００４３】
収容部６０には、パッキン１００が弾性変形された状態で収容配置される。具体的には、弾性変形可能なパッキン１００は、第１押当部１００ａと、第２押当部１００ｂと、第３押当部１００ｃと、第４押当部１００ｄとがそれぞれ収容部６０の内面に押し当てられるようにして配置される。第１押当部１００ａと、第２押当部１００ｂと、第３押当部１００ｃと、第４押当部１００ｄとは、外部から水や埃等が筐体内部に入り込むことを抑制するよう接合が強化された接合強化部である。
【００４４】
パッキン１００に形成される第１押当部１００ａと、第２押当部１００ｂと、第３押当部１００ｃと、第４押当部１００ｄとは、上述のように、それぞれ筐体２の内部に水が浸入することを抑制する。具体的には、第１押当部１００ａは、第１接合面６１から水が浸入することを抑制する。第２押当部１００ｂと第３押当部１００ｃとは、第１接合面６１から浸入した水が内部側へ移行することを抑制する。第４押当部１００ｄは、第２接合面６２から筐体２の内部に水が浸入することを抑制する。
【００４５】
収容部６０の内面には、陰極部１１０ａ、１１０ｂと、陽極部１２０ａ、１２０ｂとが形成される。具体的には、収容部６０における溝部６０ａ側には、陰極部１１０ａと陽極部１２０ａとが形成される。また、収容部６０における溝部６０ｂ側には、陰極部１１０ｂと陽極部１２０ｂとが形成される。陰極部１１０ａ、１１０ｂ及び陽極部１２０ａ、１２０ｂは、金属プレートを配置すること、金属蒸着すること、導電性の材料を印刷することや導電性の材料を塗布することで形成される。
【００４６】
陰極部１１０ａ、１１０ｂと、陽極部１２０ａ、１２０ｂとは、収容部６０における筐体内部側に偏って形成される。具体的には、陰極部１１０ａ、１１０ｂと、陽極部１２０ａ、１２０ｂとは、パッキン１００における第２押当部１００ｂ及び第３押当部１００ｃよりも筐体内部側に形成される。
【００４７】
陰極部１１０ａ、１１０ｂは、陽極部１２０ａ、１２０ｂよりも筐体外部側に配置される。陰極部１１０ａ、１１０ｂは、溝部６０ａ及び溝部６０ｂそれぞれの底面に形成される。
【００４８】
陽極部１２０ａ、１２０ｂは、陰極部１１０ａ、１１０ｂよりも筐体内部側に配置される。陽極部１２０ａ、１２０ｂは、溝部６０ａ及び溝部６０ｂそれぞれの筐体内部側の側壁に形成される。陽極部１２０ａ、１２０ｂそれぞれは、陰極部１１０ａ、１１０ｂそれぞれに対して垂直となる位置関係で配置される。
陰極部１１０ａ、１１０ｂそれぞれと、陽極部１２０ａ、１２０ｂそれぞれとは所定距離だけ離間して形成される。
【００４９】
陰極部１１０ａと陽極部１２０ａとは、電源部１４０ａを介して電気的に接続される。また、陰極部１１０ｂと陽極部１２０ｂとは、電源部１４０ｂを介して電気的に接続される。このように構成されることで、上述の所定距離だけ離間した陰極部１１０ａ、１１０ｂそれぞれと陽極部１２０ａ、１２０ｂそれぞれとをつなぐように広がった水は、電気分解される。
【００５０】
また、電源部１４０ａ、１４０ｂそれぞれは、メイン基板に形成される基準電位部に電気的に接続される。これにより、携帯電話機１において、静電気より生じる悪影響を抑制できる。
【００５１】
ここで、上述の通り、陰極部１１０ａ、１１０ｂと、陽極部１２０ａ、１２０ｂとは、筐体２における外周の全周にわたって形成される。詳細には、陰極部１１０ａ、１１０ｂと、陽極部１２０ａ、１２０ｂとは、筐体２における外周に形成される接合領域５０の全周にわたって形成される。
【００５２】
具体的には、図５に示すように、陰極部１１０ａと陽極部１２０ａとは、フロントケース２ａにおける外周に形成される溝部６０ａに全周にわたって形成される。また、陰極部１１０ｂと陽極部１２０ｂとにおいても、図示しないが同様にリアケース２ｂにおける外周に形成される溝部６０ｂに全周にわたって形成される。
【００５３】
また、陰極部１１０ａ、１１０ｂそれぞれの筐体外部側には、電解質の材料により構成される電解質部材１３０ａ、１３０ｂが配置される。具体的には、電解質部材１３０ａ、１３０ｂそれぞれは、第２押当部１００ｂ、第３押当部１００ｃそれぞれと溝部６０ａ、６０ｂそれぞれの底面との間に配置される。つまり、電解質部材１３０ａ、１３０ｂそれぞれは、外部から浸入した水の流れ方向において、陰極部１１０ａ、１１０ｂ及び陽極部１２０ａ及び１２０ｂの上流側に配置される。これにより、外部から浸入した水に電解質が溶解される。そして、電解質を含む水は、陰極部１１０ａ、１１０ｂ及び陽極部１２０ａ、１２０ｂにより好適に電気分解される。更には、水を検知するセンサ（不図示）において、検出感度を向上させることができる。ここで、センサは、陰極部１１０ｂと陽極部１２０ｂとを利用して構成してもよい。
【００５４】
続けて、図６から図８により、第１実施形態における防水構造の作用について説明する。
まず、図６に示すように、第１接合面６１から浸入した水は、第１押当部１００ａを通過する。そして、矢印Ｗ１方向に更に移行し第３押当部１００ｃに到達する。
【００５５】
次いで、図７に示すように、第３押当部１００ｃに到達した水は、矢印Ｗ２方向に更に移行する。具体的には、浸入した水は、第３押当部１００ｃを通過して陰極部１１０ｂに到達する。ここで、浸入した水が第３押当部１００ｃを通過する際、電解質部材１３０ｂの一部を溶解させる。
【００５６】
続けて、図８に示すように、陰極部１１０ｂに到達した水は、矢印Ｗ３方向に更に移行する。電解質部材１３０ｂの一部が溶解され電解質を含んだ水は、陽極部１２０ｂに移行される。電解質を含んだ水は、陰極部１１０ｂと陽極部１２０ｂとにわたって広がった状態となる。この状態において、電解質を含んだ水は、電気分解され気体となる。これにより、携帯電話機１において、外部から浸入した水は筐体内部に移行する前に電気分解される。つまり、携帯電話機１において、水が筐体内部に浸入することが抑制される。
【００５７】
次いで、図９から図１２により、第２実施形態における携帯電話機１について説明する。第２実施形態における携帯電話機１は、第１実施形態における携帯電話機１と同様の構成であり、以下においては、第１実施形態と相違する点を中心に説明をし、同様の構成については説明を省略する。
図９は、第２実施形態における防水構造を説明する図である。図１０は、第２実施形態の陰極部１１０ａ、１１１ａと陽極部１２０ａの配置を説明する模式図である。図１１は、第２実施形態における作用を説明する図である。図１２は、第２実施形態における作用を説明する図である。
【００５８】
まず、図９及び図１０により、第２実施形態の携帯電話機１における防水構造について説明する。
図９及び図１０に示すように、第２実施形態における携帯電話機１は、接合領域５０において、陰極部１１１ａ、１１１ｂと、陽極部１２１ａ、１２１ｂと、電解質部材１３１ａ、１３１ｂと、電源部１４１ａ、１４１ｂとが更に配置された点で、第１実施形態における携帯電話機１と相違する。
【００５９】
陰極部１１１ａ、１１１ｂと、陽極部１２１ａ、１２１ｂとは、収容部６０における筐体外部側に偏って形成される。具体的には、陰極部１１１ａ、１１１ｂと、陽極部１２１ａ、１２１ｂとは、パッキン１００における第２押当部１００ｂ及び第３押当部１００ｃよりも筐体外部側に形成される。また、陰極部１１１ａ、１１１ｂと、陽極部１２１ａ、１２１ｂとは、浸水した水の流路方向において、パッキン１００における第１押当部１００ａの後方に第１押当部１００ａと近接して配置される。
【００６０】
つまり、陰極部１１１ａ及び陽極部１２１ａは、外部から浸入した水の流路において、第１押当部１００ａと第２押当部１００ｂとの間に形成される。また、陰極部１１１ｂ及び陽極部１２１ｂは、外部から浸入した水の流路において、第１押当部１００ａと第３押当部１００ｃとの間に形成される。
【００６１】
また、陰極部１１１ａ、１１１ｂは、陽極部１２１ａ、１２１ｂよりも筐体外部側に配置される。陰極部１１１ａ、１１１ｂは、溝部６０ａ及び溝部６０ｂそれぞれの筐体外部側の側壁に形成される。
【００６２】
陽極部１２１ａ、１２１ｂは、陰極部１１１ａ、１１１ｂよりも筐体内部側に配置される。陽極部１２１ａ、１２１ｂは、溝部６０ａ及び溝部６０ｂそれぞれの底面に形成される。陽極部１２１ａ、１２１ｂそれぞれは、陰極部１１１ａ、１１１ｂそれぞれに対して垂直となる位置関係で配置される。
また、陰極部１１１ａ、１１１ｂそれぞれと、陽極部１２１ａ、１２１ｂそれぞれとは所定距離だけ離間して形成される。
【００６３】
陰極部１１１ａと陽極部１２１ａとは、電源部１４１ａを介して電気的に接続される。また、陰極部１１１ｂと陽極部１２１ｂとは、電源部１４１ｂを介して電気的に接続される。このように構成されることで、第１実施形態と同様、上述の所定距離だけ離間した陰極部１１１ａ、１１１ｂそれぞれと陽極部１２１ａ、１２１ｂそれぞれとをつなぐように広がった水は、電気分解される。
【００６４】
本実施形態の携帯電話機１は、浸入した水の流路方向において、浸入した水を電気分解する箇所が２箇所となるように構成される。これにより、本実施形態の携帯電話機１は、第１実施形態によりも更に確実に浸入した水を電気分解して筐体内部へ浸入することを抑制する。
【００６５】
また、第１実施形態と同様に、電源部１４１ａ、１４１ｂそれぞれは、メイン基板に形成される基準電位部に電気的に接続される。これにより、携帯電話機１において、静電気（例えば、筐体外部から浸入しようとする静電気）より生じる悪影響を抑制できる。
【００６６】
ここで、陰極部１１１ａ、１１１ｂと、陽極部１２１ａ、１２１ｂとは、筐体２における外周の全周にわたって形成される。詳細には、陰極部１１１ａ、１１１ｂと、陽極部１２１ａ、１２１ｂとは、筐体２における外周に形成される接合領域５０の全周にわたって形成される。更に詳細には、陰極部１１１ａ、１１１ｂと、陽極部１２１ａ、１２１ｂとは、陰極部１１０ａ、１１０ｂ及び陽極部１２０ａ、１２０ｂの更に外側を囲むように全周に形成される。
【００６７】
具体的には、図１０に示すように、陰極部１１１ａと陽極部１２１ａとは、陰極部１１０ａ及び陽極部１２０ａの外側に、フロントケース２ａにおける外周に形成される溝部６０ａに全周にわたって形成される。また、陰極部１１１ｂと陽極部１２１ｂとにおいても、図示しないが同様に陰極部１１０ｂと陽極部１２０ｂの外側にリアケース２ｂにおける外周に形成される溝部６０ｂに全周にわたって形成される。
【００６８】
また、陰極部１１１ａ、１１１ｂそれぞれの浸入した水の流路方向における筐体外部側には、電解質の材料により構成される電解質部材１３１ａ、１３１ｂが配置される。具体的には、電解質部材１３１ａ、１３１ｂそれぞれは、第１押当部１００ａと溝部６０ａ、６０ｂそれぞれの筐体外部側における側壁との間に形成される。これにより、外部から浸入した水に電解質が溶解されるので、陰極部１１１ａ、１１１ｂ及び陽極部１２１ａ、１２１ｂにより好適に電気分解されることになる。
【００６９】
続けて、図１１及び図１３により、第２実施形態における作用について説明する。
まず、図１１に示すように、第１接合面６１から浸入した水は、矢印Ｗ１１方向に移行して第３押当部１００ｃまで到達する。詳細には、第１接合面６１から浸入した水は、電解質部材１３１ｂの一部を溶解させながら陰極部１１１ｂ及び陽極部１２１ｂとにわたって広がるように移行する。これにより、浸入した水は電機分解され気体となる。そして、例えば、多量の水が浸入した場合には、電気分解しきれなかった水が矢印Ｗ１１方向に移行し第３押当部１００ｃに到達する。
【００７０】
次いで、図１２に示すように、浸入した水は、第３押当部１００ｃを通過して矢印Ｗ１２方向に移行して陰極部１１０ａ及び陽極部１２０ｂに到達する。詳細には、浸入した水は、第３押当部１００ｃを通過すると共に、電解質部材１３０ｂの一部を溶解させながら陰極部１１０ｂと陽極部１２０ｂとにわたって広がるように移行する。これにより、陰極部１１１ｂ及び陽極部１２１ｂとにより電気分解しきれなかった水は、筐体内部に移行する前に電気分解される。つまり、携帯電話機１において、水が筐体内部に浸入することが抑制される。
【００７１】
続けて、図１３により、第３実施形態における携帯電話機１について説明する。
図１３は、第３実施形態における防水構造を説明する図である。
図１３に示すように、第３実施形態における携帯電話機１は、筐体２とキーシート２００との間に形成される防水構造である。
【００７２】
第３実施形態における防水構造も上述の第１実施形態及び第２実施形態と同様であり、外部から浸入した水を電気分解して気化させることで、筐体内部に水が浸入することを抑制する。
【００７３】
図１３に示すように、第３実施形態における携帯電話機１は、筐体２と、筐体２の一部に載置されたキーシート２００との間から水が浸入することを抑制するための構造である。
筐体２とキーシート２００との間には、筐体外部側から電解質部材１３２と、陰極部１１２と、陽極部１２２とが配置される。陰極部１１２と陽極部１２２とは、電源部１４２と電気的に接続される。
【００７４】
ここで、筐体外部から筐体２とキーシート２００との間を通って水が浸入した場合、浸入した水は、電解質部材１３２の一部を溶解させながら陰極部１１２と陽極部１２２とにわたって広がるように移行する。これにより、浸入した水は、陰極部１１２及び陽極部１２２とにより電気分解され気体となる。つまり、第３実施形態における携帯電話機１においても同様に、水が筐体内部に浸入することが抑制される。
【００７５】
上述の実施形態によれば、外部からの水を電気分解することで筐体２の内部に水が浸入することを抑制できる携帯電話機を提供することができる。また、本実施形態によれば、スペースを必要とする追加構造を形成とすることなく、簡易に携帯電話機における防水性を向上させることができる。
【００７６】
また、上述の実施形態によれば、筐体外部から浸入した水を電気分解で気体にするため、浸入した水を筐体２の外部に排出する必要がない。言い換えると、筐体内部に浸入した水を筐体外部に排出するための機構を設ける必要がない。
【００７７】
また、上述の実施形態によれば、パッキン１００を用いた通常の防水構造に加えて、陰極部及び陽極部を利用して浸入した水を電気分解しているので、より高い防水機能を有する携帯電話機を提供することができる。また、陰極部及び陽極部は、パッキン１００により形成され水の浸入を検出して対応すべき必要性の高い押当部における筐体内部側に形成されるので、筐体内部への水の浸入を好適に抑制できる。
【００７８】
また、上述の実施形態によれば、浸入した水の流路方向において陰極部及び陽極部の前に電解質部材が配置されるので、確実に通電可能な水溶液となっている。これにより、筐体外部から浸入した水（水溶液）は、水の種類に関係なく確実に電気分解される。よって、携帯電話機における防水機能は安定的に向上される。
【００７９】
また、上述の実施形態によれば、陰極部及び陽極部が基準電位部に電気的に接続される。これにより、携帯電話機において、静電対策効果を向上させることができる。
【００８０】
また、上述の実施形態によれば、陰極部が筐体外部側に配置され、陽極部が筐体内部側に配置される。これにより、例えば、陽極部が筐体外部側に配置された場合に筐体の表面から露出したグランド端子等との間で電流パスが形成されることが抑制される。これにより、無駄なリーク電流が生じることが抑制される。
【００８１】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８２】
また、上述の実施形態において、携帯電話機１は、筐体２において連結部を有さないタイプであるストレートタイプであるが、これに限定されず、例えば、筐体２が連結部を有すると共に連結部により折り畳み可能な折り畳みタイプや、スライドタイプや、回転（ターン）タイプや、いわゆる２軸ヒンジタイプであってもよい。
【００８３】
また、上述の実施形態において、陰極部が筐体外側に配置され、陽極部が筐体内部側に配置されているが、これに限定されず、陰極部が筐体内部側に配置され、陽極部が筐体外部側に配置されていてもよい。
【００８４】
また、上述の実施形態において、電解質部材は、浸入した水の流路方向において、陰極部及び陽極部の上流側に配置されているが、これに限定されず、陰極部と陽極部との間に配置されていてもよい。
【００８５】
また、上述の実施形態において、陰極部及び陽極部は、収容部６０の内面（筐体２側）に形成されているが、これに限定されず、パッキン１００や筐体２の内部に形成されていてもよい。また、上述の実施形態における電源部１４０ａから１４０ｄは、単一の電源部として構成されていてもよい。
【図面の簡単な説明】
【００８６】
【図１】携帯電話機１の正面図である。
【図２】第１実施形態の携帯電話機１における防水構造を説明する斜視分解図である。
【図３】図１におけるＡ−Ａ断面図である。
【図４】図３における領域Ｂの部分拡大図である。
【図５】第１実施形態の陰極部１１０ａと陽極部１２０ａの配置を説明する模式図である。
【図６】第１実施形態における作用を説明する図である。
【図７】第１実施形態における作用を説明する図である。
【図８】第１実施形態における作用を説明する図である。
【図９】第２実施形態における防水構造を説明する図である。
【図１０】第２実施形態の陰極部１１０ａ、１１１ａと陽極部１２０ａの配置を説明する模式図である。
【図１１】第２実施形態における作用を説明する図である。
【図１２】第２実施形態における作用を説明する図である。
【図１３】第３実施形態における防水構造を説明する図である。
【符号の説明】
【００８７】
１          携帯電話機
２          筐体
６０        収容部
６０ａ      溝部
６０ｂ      溝部
１００      パッキン
１１０ａ    陰極部
１１０ｂ    陰極部
１２０ａ    陽極部
１２０ｂ    陽極部
１３０ａ    電解質部材
１３０ｂ    電解質部材
１４０ａ    電源部
１４０ｂ    電源部
【図１】
2009290598.tif 000003
【図２】
2009290598.tif 000004
【図３】
2009290598.tif 000005
【図４】
2009290598.tif 000006
【図５】
2009290598.tif 000007
【図６】
2009290598.tif 000008
【図７】
2009290598.tif 000009
【図８】
2009290598.tif 000010
【図９】
2009290598.tif 000011
【図１０】
2009290598.tif 000012
【図１１】
2009290598.tif 000013
【図１２】
2009290598.tif 000014
【図１３】
2009290598.tif 000015